(57)【要約】【課題】  グリップを把持する力が減少することなく高速回転スイッチの操作が極めて簡単に行える刈払機を提供する。【解決手段】  ハンドル１４の把持部２０にモータを起動するトリガーレバー２２を設けた刈払機１０において、トリガーレバー２２に高速回転スイッチ２３を設けた構成とした。また、把持部２０のグリップ２０ａとトリガーレバー２２を手で握ったときに高速回転スイッチ２３のすぐ下に人差し指が位置する構成とした。【選択図】図２
2011087500.tif 000002
【特許請求の範囲】
【請求項１】
ハンドルの把持部にモータを起動するトリガーレバーを設けた刈払機において、該トリガーレバーに高速回転スイッチを設けたことを特徴とする刈払機。
【請求項２】
該把持部のグリップと該トリガーレバーを手で握ったときに該高速回転スイッチのすぐ下に人差し指が位置することを特徴とする請求項１記載の刈払機。
【発明の詳細な説明】
【技術分野】
【０００１】
本発明はハンドルの把持部に刈払機を駆動するモータを起動するトリガーレバーを設けた刈払機に関するものである。
【背景技術】
【０００２】
従来から、芝や雑草等の草葉を刈るのに用いられる装置として刈払機が知られている。図４は特許文献１に開示の電動刈払機のハンドルの一端に設けられた把持部１００であり、グリップ１４０とともに電源スイッチ１１０と安全スイッチ１２０を同時に手で握ることにより電動刈払機のモータが回転するようになっている。細い草の中に太い草がある場合は、高速回転スイッチ１３０を親指で操作することにより、モータを高速回転させることができるというものであった。
【先行技術文献】
【特許文献】
【０００３】
【特許文献１】特許第４０７１２４２号公報
【発明の概要】
【発明が解決しようとする課題】
【０００４】
しかし、上記の構成では、高速回転スイッチ１３０を親指で操作するために親指をグリップ１４０から離さなければならないから、グリップ１４０を把持する力が減少しハンドル操作が不安定になり望ましくなかった。
【０００５】
本発明は、上記の問題を解決するものであり、グリップを把持する力が減少することなく高速回転スイッチの操作が極めて簡単に行える刈払機を提供するものである。
【課題を解決するための手段】
【０００６】
上記の目的を達成するために、ハンドルの把持部にモータを起動するトリガーレバーを設けた刈払機において、トリガーレバーに高速回転スイッチを設けた構成とした。また、把持部のグリップとトリガーレバーを手で握ったときに高速回転スイッチのすぐ下に人差し指が位置する構成とした。
【発明の効果】
【０００７】
本発明によれば、上記の構成としたので、高速回転スイッチの操作が極めて簡単に行え、高速回転スイッチの操作中にハンドルの把持力が変わらない刈払機を提供することが可能となる。
【図面の簡単な説明】
【０００８】
【図１】本発明にかかる刈払機の全体構成を説明するための外観図である。
【図２】把持部の正面図である。
【図３】把持部の内部を説明するための断面図である。
【図４】従来の電動刈払機の把持部である。
【発明を実施するための形態】
【０００９】
以下、本発明を実施するための好適な実施形態について、図面に基づいて説明する。
【実施例１】
【００１０】
以下の説明では、説明の便宜のために刈払機１０の使用状態に応じた方向を定義することとする。すなわち、図１にて図示するように、刈刃部１３が設置される側を「前」、駆動部１１側を「後」、と呼ぶこととする。
【００１１】
本実施形態に係る刈払機１０は、長手方向に延びる軸体形状にて形成される操作棹１２と、操作棹１２の一端側である前側に設置される刈刃部１３と、操作棹１２の他端側である後側に設置されるとともに、ハウジング１１ａの内部に駆動源としての図示しないモータとバッテリーを備える駆動部１１と、操作棹１２の長手方向の中間部に設置されるハンドル１４とを備えている。
【００１２】
操作棹１２は、中空棒状のパイプ部材により構成されており、その内部には、不図示の従動軸が回転自在な状態にて内蔵されている。操作棹１２の前側先端には刈刃部１３が取り付けられており、刈刃部１３のホルダ１３ａには外周面に複数の鋸刃状の刃部が形成された円板状をした金属製の不図示の刈刃が回転自在に取り付けられている。ホルダ１３ａは従動軸の回転運動に応じて回転し、草葉等の刈払いを実施できるようになっている。また、刈刃の後方直近部には、刈刃の一部を覆うように防護カバー１３ｂが設けられており、刈払い時に発生する飛散物の後方への飛散を防ぐことで、作業者の安全が確保されている。なお、刈刃については、円板状をした金属製のものに代えて、セラミックス製のものや、回転中心から放射状に延びる複数本の紐からなるものなど、あらゆる形式の刈刃を採用することが可能となっている。
【００１３】
図１乃至図３に示すように、ハンドル１４には、把持部２０と左グリップ２１が取り付けられている。把持部２０にはモータを起動するトリガーレバー２２が配置され、不図示の配線コードによってハウジング１１ａ内のモータを制御すべく配線されている。１５は図示しない肩掛けベルトを取付けることのできるホックである。
【００１４】
グリップ２０ａ、保護部２０ｂで構成される把持部２０は、樹脂等で成形された半割り部材を重ね合わせ、通常金属で作られるハンドル１４の先端に図示しないボルト等で取り付けられている。グリップ２０ａにはトリガーレバー２２が配置され、グリップ２０ａとトリガーレバー２２の指掛け部２２ｃとを手で握り締めることにより、トリガーレバー２２は不図示のスプリングに抗して支軸２２ａを中心にして回動しグリップ２０ａ内へ入り込み、トリガーレバー２２の突起２２ｂがマイクロスイッチ２２ｄをオンするよう構成されている。マイクロスイッチ２２ｄは不図示の配線コードによりハウジング１１ａ内の不図示のモータコントローラに接続されており、マイクロスイッチ２２ｄのオンによりモータが始動するよう構成されている。２６はロックボタンであり、トリガーレバー２２を誤って作業者が操作してしまわないようにトリガーレバー２２の動きを規制しており、指で押し込むことにより規制を解除することができるようになっている。２７は起動ボタンであり、これも安全のために取り付けられており、このボタンを押さないとトリガーレバー２２を操作してもモータが始動しないようにモータコントローラが機能するものである。モータが始動すれば起動ボタン２７に指を掛けておく必要はなく、通常指を離して作業を行う。
【００１５】
２３は高速回転スイッチであり、トリガーレバー２２の上部内に収容され、指掛け部２２ｃと隣接した位置に設けられている。高速回転スイッチ２３からの不図示の配線コードもモータコントローラに接続され、マイクロスイッチ２２ｄがオンしているとき高速回転スイッチ２３がオンするとモータが高速回転するようモータコントローラにより制御される。グリップ２０ａとトリガーレバー２２を手で握り締める場合、親指はグリップ２０ａに掛け、他の指はトリガーレバー２２の指掛け部２２ｃに掛けるが、人差し指は高速回転スイッチ２３のすぐ下（図２における下方）に位置するよう構成されているので、自然な形で人差し指を少し移動させるだけで高速回転スイッチ２３に人差し指を掛けたり外したりすることが可能である。このように高速回転スイッチ２３がトリガーレバー２２の一部に配置されているので、高速回転スイッチ２３の操作において、指をグリップ２０ａやトリガーレバー２２から離す必要がなく、グリップ２０ａおよびトリガーレバー２２を把持する力が減少せず、ハンドル操作が不安定になることはない。
【００１６】
２４は表示部であり、複数（図２では６つ）のＬＥＤがバッテリーの残容量やモータの状態を表示するようにモータコントローラにより制御される。２４ａはＬＥＤを搭載する基板であるが、図３ではＬＥＤは省略されている。バッテリーの残容量の表示では、３つのＬＥＤが使用され、３つ点灯すれば残容量は１００％に近く、２つ点灯すれば５０％ぐらいで、１つ点灯すれば２０％以下であることを表す。また、モータの状態表示のために、モータに通電されているかどうかを表示する通電ランプ、過負荷保護機能が作動してモータが停止していることを表示する過負荷保護機能作動ランプ、温度保護機能が作動してモータが停止していることを表示する温度保護機能作動ランプなどが配置されている。
【００１７】
１６は配線コードを保護するためのポリプロピレン等のチューブであり、把持部２０内の不図示の配線コードはチューブ１６によって保護されてハウジング１１ａへ配線されている。
【００１８】
以上のように構成された刈払機１０で草刈り作業を行う場合には、作業者は、ホック１５に取付けられた図示しない肩掛けベルトを肩に掛け回すとともに、ハンドル１４が備える把持部２０と左グリップ２１を両手で把持することにより、刈払機１０を自在に操ることが可能となる。
【００１９】
次にモータを起動して刈刃を回転させるのであるが、そのためには、作業者は手で把持部２０のグリップ２０ａを握り、ロックボタン２６を親指で押し込み、次いで起動ボタン２７を親指で押しグリップ２０ａとトリガーレバー２２を同時に握り締めればよい。トリガーレバー２２は作業者の握力によってスプリングの付勢力に抗してグリップ２０ａ内へ移動し、トリガーレバー２２の突起２２ｂがマイクロスイッチ２２ｄのアクチュエータを押すから、マイクロスイッチ２２ｄがオンし、モータに電流が流れ刈刃が回転を始める。作業者が草刈り作業を中断したい場合は、手の握りを緩めトリガーレバー２２を元の位置まで戻せばよい。
【００２０】
草刈り作業中に細い草の中に太い草があるような場合には、作業者は高速回転スイッチ２３を人差し指で押せばよい。高速回転スイッチ２３が押されてオンすると、モータが高速回転するようモータコントローラにより制御されるので、太い草であっても容易に刈り取ることができる。太い草を刈り取った後は高速回転スイッチ２３から指を離すことにより通常の速さの回転に戻る。高速回転スイッチ２３に指を掛けたり離したりする時、高速回転スイッチ２３は人差し指のすぐ上に位置し、トリガーレバー２２内に設けられているので、指をグリップ２０ａやトリガーレバー２２から離す必要がなく、グリップ２０ａおよびトリガーレバー２２を把持する力が減少せず、ハンドル操作が不安定になることはない。
【００２１】
また、バッテリーの残容量やモータの状態を表示する表示部２４が把持部２０に設けられているので、従来の刈払機のようにモータのハウジングに設けられ視認することが難しいという問題もなく、作業中いつでも確認できるので便利である。
【００２２】
本発明による刈払機は、上述した実施の形態に限定されず、特許請求の範囲に記載した範囲で種々の変形や改良が可能である。例えば、本実施の形態では、駆動源としてバッテリーで駆動されるモータを利用した刈払機で説明したが、ＡＣ電源で駆動されるモータやエンジンを利用した刈払機でもよい。
【産業上の利用可能性】
【００２３】
この発明は、刈払機について有用である。
【符号の説明】
【００２４】
１０  刈払機、１１  駆動部、１１ａ  ハウジング、１２  操作棹、１３  刈刃部、１３ａ  ホルダ、１３ｂ  防護カバー、１４  ハンドル、１５  ホック、２０  把持部、２０ａ  グリップ、２０ｂ  保護部、２１  左グリップ、２２  トリガーレバー、２２ａ  支軸、２２ｂ  突起、２２ｃ  指掛け部、２２ｄ  マイクロスイッチ、２３  高速回転スイッチ、２４  表示部
【図１】
2011087500.tif 000003
【図４】
2011087500.tif 000004
【図２】
2011087500.tif 000005
【図３】
2011087500.tif 000006